(57)【要約】【課題】  ネットワーク上で管理されたＷｅｂ文書を含む複数の文書をページ単位で統合して印刷処理できるようにする。【解決手段】  統合出力サーバ２００は、印刷指示Ｗｅｂアプリケーション２１０と、出力処理サービス２２０から構成される。印刷指示Ｗｅｂアプリケーション２１０は、クライアントＰＣ１１０に印刷指示画面を提供し、この印刷指示画面上で、ネットワーク上で管理された文書を含む複数の文書をページ単位で受け付け、該受け付けた複数のページ単位の文書に基づき印刷指示を行う。出力処理サービス２２０は、印刷指示Ｗｅｂアプリケーション２１０による印刷指示に基づき複数のページ単位の文書を統合して印刷制御を行う。【選択図】  図１
2005202671.tif 000002
【特許請求の範囲】
【請求項１】
ネットワーク上で管理された文書を含む複数の文書の印刷制御を行う印刷制御装置において、
前記ネットワーク上で管理された文書を含む複数の文書をページ単位で受け付け、該受け付けた複数のページ単位の文書に基づき印刷指示を行う印刷指示手段と、
前記印刷指示手段による印刷指示に基づき複数のページ単位の文書を統合して印刷制御を行う印刷制御手段と
を具備することを特徴とする印刷制御装置。
【請求項２】
前記印刷指示手段は、
前記ネットワーク上で管理された文書およびローカル管理された文書をページ単位で受け付けて該受け付けたページ文書識別情報を印刷指示画面上に表示する印刷指示画面表示手段と、
前記印刷指示画面表示手段により印刷指示画面上に表示された複数のページ文書識別情報に基づき印刷指示情報を作成する印刷指示情報作成手段と
を具備し、
前記印刷制御手段は、
前記印刷指示情報作成手段により作成された印刷指示情報に含まれるページ文書識別情報に基づき文書データをページ単位で取得する文書データ取得手段と、
前記文書データ取得手段で取得したページ単位の文書データを統合して印刷処理を行う印刷処理手段と
を具備することを特徴とする請求項１記載の印刷制御装置。
【請求項３】
前記ページ文書識別情報は、
前記ネットワーク上で管理された文書のリンク情報と該文書のページを示すページ情報とを含み、
前記印刷指示画面表示手段は、
印刷指示端末の画面上に表示された文書の前記印刷指示画面上に対するドラッグアンドドロップ操作により該文書の前記リンク情報と前記ページ情報とを含むページ文書識別情報を前記印刷指示画面上に表示することにより印刷指示にかかわる文書をページ単位で受け付ける
ことを特徴とする請求項２記載の印刷制御装置。
【請求項４】
前記ネットワーク上で管理された文書を含む複数の文書は、
異なる文書管理システムで管理された文書を含み、
前記文書データ取得手段は、
前記ページ文書識別情報に基づき該当するページ単位の文書データを前記ネットワークを介して前記異なる文書管理システムにアクセスして取得する
ことを特徴とする請求項２または３記載の印刷制御装置。
【請求項５】
前記ネットワーク上で管理された文書を含む複数の文書は、
ローカル管理された文書を含み、
前記文書データ取得手段は、
前記ページ文書識別情報に基づき該当するページ単位の文書データを前記ローカル管理された文書にアクセスして取得する
ことを特徴とする請求項２または３記載の印刷制御装置。
【請求項６】
前記ネットワーク上で管理された文書を含む複数の文書は、
ローカル管理された文書を含み、
前記印刷指示情報作成手段は、
前記ページ文書識別情報に基づき該当するページ単位の文書データを前記ローカル管理された文書にアクセスして取得して前記印刷指示情報を作成する
ことを特徴とする請求項２記載の印刷制御装置。
【請求項７】
ネットワーク上で管理された文書を含む複数の文書の印刷制御を行う印刷制御方法において、
前記ネットワーク上管理された文書を含む複数の文書をページ単位で受け付け、
該受け付けた複数のページ単位の文書に基づき印刷指示手段により印刷指示を行い、
印刷制御手段は、前記印刷指示手段による印刷指示に基づき複数のページ単位の文書を統合して印刷制御を行う
ことを特徴とする印刷制御方法。
【請求項８】
ネットワーク上で管理された文書を含む複数の文書の印刷制御処理をコンピュータに実行させる印刷制御プログラムであって、
前記ネットワーク上で管理された文書を含む複数の文書をページ単位で受け付けるステップと、
該受け付けた複数のページ単位の文書に基づき印刷指示を行うステップと、
該印刷指示に基づき複数のページ単位の文書を統合して印刷制御を行うステップと
を含むことを特徴とする印刷制御プログラム。
【発明の詳細な説明】
【技術分野】
【０００１】
本発明は、ネットワーク上で管理されたＷｅｂ文書を含む複数の文書の印刷制御を行う印刷制御装置および方法およびプログラムに関し、特に、Ｗｅｂ文書を含む複数の文書をページ単位で統合して印刷処理できるようにした印刷制御装置および方法およびプログラムに関する。
【背景技術】
【０００２】
一般に、Ｗｅｂ文書出力を行う出力端末においては、ファイル単位での印刷のみを行うことに限定されて作成されている。
【０００３】
このため、複数のファイルに跨る特定のページのみを印刷を行う場合には、複数の処理が必要になり、機能操作性に満足することはできない。
【０００４】
複数の処理を１つに統合して処理を行う従来技術として、特許文献１に開示されたものがある。
【０００５】
この特許文献１に開示された従来技術においては、ジョブ単位での結合を操作者が実行することができ、またそのジョブ属性に基づいて結合実行の可否を判断できることも可能である。
【０００６】
また、複数の電子文書を結合して構成された電子文書と結合元の電子文書とを比較して編集することを可能にした従来技術としては、特許文献２、特許文献３、特許文献４に開示されたものがある。
【０００７】
この特許文献２、特許文献３、特許文献４に開示された従来技術においては、異なる複数の素材電子文書を１つの電子文書として結合して新たな統合電子文書を構成し、また、該新たな統合電子文書と結合元ととなった素材電子文書との関係を互いに維持した状態で容易に編集できることを可能にしている。
【特許文献１】特開２００３−１７７８７９
【特許文献２】特開２００２−９１９４９
【特許文献３】特開２００２−９９５２８
【特許文献４】特開２００２−２２９９７６
【発明の開示】
【発明が解決しようとする課題】
【０００８】
しかしながら、特許文献１に示された従来技術においてはジョブ全体の結合を操作者が操作することで実現し、結合の可否を判断できるため、ジョブの結合により利便性の向上が図られるが、特定ページのみの結合が行うことができないという問題がある。
【０００９】
また、特許文献２、特許文献３、特許文献４に示された従来技術では複数の電子文書を統合し、統合電子文書として保持することができるが、統合する電子文書自体を操作者が確認できる状態で統合することはできない。
【００１０】
そこで、本発明は、ネットワーク上で管理されたＷｅｂ文書を含む複数の文書をページ単位で統合して印刷処理できるようにした印刷制御装置および方法およびプログラムを提供することを目的とする。
【課題を解決するための手段】
【００１１】
上記目的を達成するため、請求項１の発明は、ネットワーク上で管理された文書を含む複数の文書の印刷制御を行う印刷制御装置において、前記ネットワーク上で管理された文書を含む複数の文書をページ単位で受け付け、該受け付けた複数のページ単位の文書に基づき印刷指示を行う印刷指示手段と、前記印刷指示手段による印刷指示に基づき複数のページ単位の文書を統合して印刷制御を行う印刷制御手段とを具備することを特徴とする。
【００１２】
また、請求項２の発明は、請求項１の発明において、前記印刷指示手段は、前記ネットワーク上で管理された文書およびローカル管理された文書をページ単位で受け付けて該受け付けたページ文書識別情報を印刷指示画面上に表示する印刷指示画面表示手段と、前記印刷指示画面表示手段により印刷指示画面上に表示された複数のページ文書識別情報に基づき印刷指示情報を作成する印刷指示情報作成手段とを具備し、前記印刷制御手段は、前記印刷指示情報作成手段により作成された印刷指示情報に含まれるページ文書識別情報に基づき文書データをページ単位で取得する文書データ取得手段と、前記文書データ取得手段で取得したページ単位の文書データを統合して印刷処理を行う印刷処理手段とを具備することを特徴とする。
【００１３】
また、請求項３の発明は、請求項２の発明において、前記ページ文書識別情報は、前記ネットワーク上で管理された文書のリンク情報と該文書のページを示すページ情報とを含み、前記印刷指示画面表示手段は、印刷指示端末の画面上に表示された文書の前記印刷指示画面上に対するドラッグアンドドロップ操作により該文書の前記リンク情報と前記ページ情報とを含むページ文書識別情報を前記印刷指示画面上に表示することにより印刷指示にかかわる文書をページ単位で受け付けることを特徴とする。
【００１４】
また、請求項４の発明は、請求項２または３の発明において、前記ネットワーク上で管理された文書を含む複数の文書は、異なる文書管理システムで管理された文書を含み、前記文書データ取得手段は、前記ページ文書識別情報に基づき該当するページ単位の文書データを前記ネットワークを介して前記異なる文書管理システムにアクセスして取得することを特徴とする。
【００１５】
また、請求項５の発明は、請求項２または３の発明において、前記ネットワーク上で管理された文書を含む複数の文書は、ローカル管理された文書を含み、前記文書データ取得手段は、前記ページ文書識別情報に基づき該当するページ単位の文書データを前記ローカル管理された文書にアクセスして取得することを特徴とする。
【００１６】
また、請求項６の発明は、請求項２の発明において、前記ネットワーク上で管理された文書を含む複数の文書は、ローカル管理された文書を含み、前記印刷指示情報作成手段は、前記ページ文書識別情報に基づき該当するページ単位の文書データを前記ローカル管理された文書にアクセスして取得して前記印刷指示情報を作成することを特徴とする。
【００１７】
また、請求項７の発明は、ネットワーク上で管理された文書を含む複数の文書の印刷制御を行う印刷制御方法において、前記ネットワーク上で管理された文書を含む複数の文書をページ単位で受け付け、該受け付けた複数のページ単位の文書に基づき印刷指示手段により印刷指示を行い、印刷制御手段は、前記印刷指示手段による印刷指示に基づき複数のページ単位の文書を統合して印刷制御を行うことを特徴とする。
【００１８】
また、請求項８の発明は、ネットワーク上で管理された文書を含む複数の文書の印刷制御処理をコンピュータに実行させる印刷制御プログラムであって、前記ネットワーク上で管理された文書を含む複数の文書をページ単位で受け付けるステップと、該受け付けた複数のページ単位の文書に基づき印刷指示を行うステップと、該印刷指示に基づき複数のページ単位の文書を統合して印刷制御を行うステップとを含むことを特徴とする。
【発明の効果】
【００１９】
本発明によれば、ネットワーク上で管理された文書を含む複数の文書をページ単位で受け付け、該受け付けた複数のページ単位の文書に基づき印刷指示を行い、該印刷指示に基づき複数のページ単位の文書を統合して印刷制御を行うように構成したので、Ｗｅｂ文書を含む複数の文書をページ単位で統合して印刷処理することが可能になるという効果を奏する。
【発明を実施するための最良の形態】
【００２０】
以下、本発明に係わる印刷制御装置および方法およびプログラムの一実施例を添付図面を参照して詳細に説明する。
【実施例】
【００２１】
図１は、この発明に係わる印刷制御装置および方法およびプログラムを適用して構成した印刷制御システムのシステム構成図である。
【００２２】
図１において、この印刷制御システム１は、印刷要求を行うクライアントＰＣ１１０、ネットワーク上で文書を管理、保存するＷｅｂ文書管理システム１２０、文書管理システム１３０、統合出力サーバ２００、プリンタ１４０を具備して構成される。
【００２３】
また、統合出力サーバ２００は、クライアントＰＣ１１０に印刷指示画面を提供すると共に、Ｗｅｂ文書管理システム１２０で管理されている文書情報や、文書管理システム１３０で管理されているローカルの文書情報に対する印刷要求を上記印刷指示画面を用いてページ単位で受け付け、該受け付けた複数のページ単位の文書情報に基づき印刷指示を行う印刷指示Ｗｅｂアプリケーション２１０と、該印刷指示Ｗｅｂアプリケーション２１０による印刷指示に基づき複数のページ単位の文書を統合して印刷制御を行う出力処理サービス２２０とを具備して構成される。
【００２４】
ここで、クライアントＰＣ１１０は、統合出力サーバ２００の印刷指示Ｗｅｂアプリケーション２１０が提供する印刷指示画面を表示し、該印刷指示画面を用いて印刷要求操作を行う。
【００２５】
また、文書管理システム１３０は、統合出力サーバ２００の出力処理サービス２２０により統合された複数のページ単位の文書情報等を電子文書の状態で保存するものであり、プリンタ１４０は、上記統合された文書情報等の印刷を行う。
【００２６】
このように、本発明の印刷制御システムでは、クライアントＰＣ１１０において、所望の文書情報に対する印刷指示を印刷指示画面を用いて行い、この印刷指示画面は統合出力サーバ２００に備わる印刷指示Ｗｅｂアプリケーション２１０により提供される。
【００２７】
印刷指示Ｗｅｂアプリケーション２１０が提供する印刷指示画面は、図２に示すように、印刷対象の文書情報のページ単位のショートカット情報を表示するショートカット情報表示領域２１１と印刷処理実行ボタン２１２を具備して構成されている。
【００２８】
統合出力サーバ２００の印刷指示Ｗｅｂアプリケーション２１０は、クライアントＰＣ１１０に表示される上記印刷指示画面のショートカット情報表示領域２１１内に、印刷を希望する文書ファイルの所望のページ（Ｗｅｂ文書管理システム１２０によりＡファイル展開されて表示されているページ）をドラッグアンドドロップするという操作で該ページのショートカット情報を生成することにより当該クライアントＰＣ１１０から複数のページ単位の文書情報の印刷要求を受付ける一方、これら文書情報中のページ単位での印刷順序の指定も受け付ける。
【００２９】
そして、該印刷指示画面上で印刷処理実行ボタン２１２を押下することにより、それまでに受け付けた文書情報のショートカット情報を含む印刷指示情報を出力サービス２２０に送出する。
【００３０】
出力処理サービス２２０は、印刷指示Ｗｅｂアプリケーション２１０から上記印刷指示情報を受信すると、該印刷指示情報に含まれるショートカット情報に基づき、対応する管理先つまりＷｅｂ文書管理システム１２０やクライアントＰＣ１１０のローカル保存領域などから該当する文書情報を取得したうえで、該取得したページ単位の文書情報を上述した印刷順序で並び替えて１つに統合し、文書管理システム１３０あるいはプリンタ１４０に送出する。
【００３１】
文書管理システム１３０では、出力処理サービス２２０から出力される上記統合化された文書情報を格納し、管理する。
【００３２】
プリンタ１４０は、出力処理サービス２２０から出力される上記統合化された文書情報に基づき各ページ単位の印刷データを生成し、該印刷データを印刷文書１４１として印刷出力する。
【００３３】
図２は、この発明に係わる印刷制御システムの印刷制御の流れを示す概念図である。
【００３４】
図２には、統合出力サーバ２００の印刷指示Ｗｅｂアプリケーション２１０によりクライアントＰＣ１１０の表示画面上に印刷指示画面が表示された状態が示されている。
【００３５】
この状態で、統合出力サーバ２００の印刷指示Ｗｅｂアプリケーション２１０が、当該印刷指示画面のショートカット情報表示領域２１１に、ネットワーク上で管理された文書を含む複数の文書をページ単位で受け付け、この受付けたページ単位の複数文書が各ページ毎のショートカット情報２１１−１、２１１−２、２１１−３として表示される。
【００３６】
具体的に、この例では、クライアントＰＣ１１０の表示画面に表示中のＷｅｂ文書管理システムで管理されている文書Ａ（２１３−１）のＮページ，文書Ｘ（２１３−２）の全ページ、及びＷｅｂ文書管理システムで管理されている文書Ｂ（２１３−３）のＭページを、それぞれ、印刷指示画面のショートカット情報表示領域２１１内にドラッグアンドドロップ操作などの手法を用いることによって、当該印刷指示画面のショートカット情報表示領域２１１に、これらドラッグアンドドロップ操作対象の文書ＡのＮページ、文書Ｘの全ページ、文書ＢのＭページのショートカット情報２１１−１、２１１−２、２１１−３が表示される状態を示している。
【００３７】
このショートカット情報には、ページ単位で受け付けた文書の所在地を示す情報以外に文書名称、ページ情報などのページ文書識別情報を含んで表示される。
【００３８】
ショートカット情報表示領域２１１に上記ショートカット情報が表示された状態で、印刷指示Ｗｅｂアプリケーション２１０は、ユーザによる所定の並び替え操作に応じて、これらショートカット情報の並べ替えなどを行うことができる。
【００３９】
複数の文書を各ページ単位に受付け、かつ当該ページ単位に受付けた各文書の並び替えが完了した後、当該印刷指示画面でユーザにより印刷実行ボタン２１２が押下されると、印刷指示Ｗｅｂアプリケーション２１０は、これら各文書のショートカット情報２１１−１、２１１−２、２１１−３を含む印刷指示を出力処理サービス２２０に送信する。
【００４０】
ここで、統合出力サーバ２００の印刷指示Ｗｅｂアプリケーション２１０から出力処理サービス２２０に送信される印刷指示には、上述した所在地を示す情報、並びにページ情報の他、提案書４ページ目の各情報、Ｗｅｂ文書管理システム１２０のユーザ名、ローカルファイルの実体、ローカルファイルの印刷指定ページ、印刷するファイルの順序、印刷オプション設定、出力先等が含まれる。
【００４１】
統合出力サーバ２００の出力処理サービス２２０では、印刷指示Ｗｅｂアプリケーション２１０から送出される印刷指示を受信すると、その中に含まれるショートカット情報２１１−１、２１１−２、２１１−３を基に該当する文書データを取得する。
【００４２】
すなわち、この例では、Ｗｅｂ文書管理システム１２１−１から文書ＡのＮページを取得し、文書管理システム１３０から文書Ｘを取得し、Ｗｅｂ文書管理システム１２１−２から文書ＢのＭページを取得する。
【００４３】
そして、この取得した複数のページ単位の文書を１つに統合し、この１つに統合された文書を文書管理システム１３０やプリントデバイス１４０に出力する。
【００４４】
図３は、統合出力サーバ２００の印刷指示Ｗｅｂアプリケーション２１０の印刷指示処理動作を示すフローチャートである。
【００４５】
図３に示すように、統合出力サーバ２００の印刷指示Ｗｅｂアプリケーション２１０は、クライアントＰＣ１１０でなされる所定のユーザ操作（印刷要求操作）に応じて当該クライアントＰＣ１１０の表示画面上に印刷指示画面を表示し（ステップ３０１）、この状態で、ドラッグアンドドロップなどの手法によって該印刷指示画面のショートカット情報表示領域２１１への印刷対象ファイルのページ単位の受け付け処理を行う（ステップ３０２）。
【００４６】
この印刷対象ファイルの受け付け処理においては、ユーザによるドラッグアンドドロップの操作に対応して、該ドラッグアンドドロップ操作のなされた文書（ページ単位）のショートカット情報を印刷指示画面上に表示させる。
【００４７】
その際、ドラッグアンドドロップ操作のなされた文書（ページ単位）に対応して、Ｗｅｂ上のページ「ＵＲＬ＋ページ情報」を取得する（ステップ３０３）か、または、ローカルファイル上のパスを取得し（ステップ３０４）、これら取得したＷｅｂ上のページ情報またはローカルファイルパス情報をショートカット情報として表示する。この状態を表示したのが図２に示す印刷Ｗｅｂアプリケーション２１０の印刷指示画面である。
【００４８】
上記ステップ３０２で印刷対象ファイルのページ単位の受け付けを行った後、印刷指示Ｗｅｂアプリケーション２１０は、ユーザによってなされる所定の編集操作に応じて、当該受け付けた文書のリストの作成、表示、あるいは印刷順序変更等の印刷リスト編集処理を行う（ステップ３０５）。
【００４９】
次いで、印刷指示Ｗｅｂアプリケーション２１０は、ユーザによってなされる所定の選択または設定操作に応じて、プリントデバイスの選択やオプション設定の処理（ステップ３０６）を行う。
【００５０】
このオプション設定に関しては、例えば、出力先、Ｎ−ｕｐ印刷、両面若しくは片面印刷、排出先（排出トレイ）、ホチキス、パンチなどが設定可能である。
【００５１】
プリントデバイス選択やオプション設定の処理（ステップ３０６）が終了した後、上記印刷指示画面を用いてユーザにより印刷開始指示操作（印刷ボタン押下）がなされると（ステップ３０７）、印刷指示Ｗｅｂアプリケーション２１０は、上記ステップ３０２で印刷対象として受け付けた複数のページ単位の文書のショートカット情報と上記ステップ３０５，３０６での設定内容を含む印刷指示情報を統合出力サーバ２００の出力処理サービス２２０へ送信する。
【００５２】
図４は、出力処理サービス２２０の出力処理動作を示すフローチャートである。
【００５３】
図４において、出力処理サービス２２０は、印刷指示Ｗｅｂアプリケーション２１０から印刷指示情報を受け付ける（ステップ４０１）と、出力処理を開始し、まずはじめに印刷指示された文書データ（文書ファイル）のファイル種別に基づき該文書ファイルがどの領域に存在するかを判断し（ステップ４０２）し、該文書ファイルがＷｅｂ文書管理システム１２０にある場合（ステップ４０２でＷｅｂ文書管理システムファイル）とローカルにある場合（ステップ４０２でローカルファイル）の処理が行われる。
【００５４】
Ｗｅｂ文書管理システム１２０に文書ファイルが存在する場合には、当該文書ファイルのショートカット情報（ＵＲＬ＋ページ情報）に基づきＷｅｂ文書管理システム１２０にアクセスし（ステップ４０３）、該アクセス先から該当する文書ファイルを取得する（ステップ４０５）。
【００５５】
また、ローカルに文書ファイルが存在する場合には、当該文書ファイルのショートカット情報（ローカルファイルのパス情報）に基づきローカルにアクセスしてファイルの受け付け処理を行い（ステップ４０４）、該当する文書ファイルを取得する（ステップ４０５）。
【００５６】
上記ステップ４０１における印刷指示情報の受け付け処理において、印刷指示された文書ファイルが複数あり、該複数のファイルを取得する場合には上記処理（ステップ４０３→ステップ４０５、またはステップ４０４→ステップ４０５）を取得するファイル数分だけ繰り返し行う。
【００５７】
印刷指示された全ての文書ファイルを取得した後、出力処理サービス２２０は、これら取得した文書ファイルを図３の印刷リスト編集（ステップ３０５）で設定した順序で並び替えするなどの印刷処理制御（ステップ４０６）を行う。
【００５８】
次に、取得したファイルをファイル展開（ステップ５０１）し、取得したファイルに対応するアプリケーションを起動（ステップ５０２）して、ページ指定印刷処理（ステップ５０３）を行い、ファイルを結合する前段階の中間フォーマットを作成（ステップ５０４）する。
【００５９】
上述した、ファイル展開の処理（ステップ５０１）から中間フォーマット作成処理（ステップ５０４）までの処理を、取得したファイル数分だけ繰り返し行い、ファイル数分中間フォーマットを作成する。
【００６０】
そして、取得した全てのファイルに対する上記ステップ５０１からステップ５０４の処理が終了すると、出力処理サービス２２０は、これらファイル数分の中間フォーマットを結合して１つの統合化されたファイルを生成する（ステップ４０７）。
【００６１】
次に、図３のプリントデバイス/オプション設定（ステップ３０６）で設定した情報を基にプリントデバイス選択や印刷設定などの印刷指示処理（ステップ４０８）を行い、更に、出力先種別の判定（ステップ４０９）を行う。
【００６２】
この処理においては、出力先種別がファイル登録であるか、プリントデバイスであるを判定し、出力先種別がファイル登録である場合（ステップ４０９でファイル登録）には、上記ステップ４０７で１つに統合化されたファイルを文書管理システム１３０に登録する処理（ステップ４１０）を行う。
【００６３】
また、出力先種別がプリントデバイスである場合（ステップ４０９でプリントデバイス）には、上記ステップ４０７で１つに統合化されたファイル（１つの印刷ジョブ）を該当するプリントデバイス１４０に送出して当該ファイルの印刷を行う（ステップ４１１）。
【００６４】
以上の処理によって、本発明の印刷制御システム１では、印刷指示画面（図２参照）を用いて印刷対象として指定された文書の指定ページのみが該印刷指示画面で指定された順番で印刷される。
【００６５】
これによって、Ｗｅｂ文書を含む複数の文書をページ単位で統合して印刷処理することが可能になる。
【００６６】
従って、本発明を適用することにより、ユーザが画面で文書を表示し、文書内容を確認した状態でページ単位の異なる文書をまとめて出力することができる。
【００６７】
また、ページ単位で出力を可能にすることでユーザの利便性を高めることもできる。また、クライアントＰＣ１１０上のファイルもＷｅｂ文書管理システム上のファイル同様に扱えるようにしたため、Ｗｅｂ環境とローカル環境をシームレスに扱うことができる。
【００６８】
なお、本発明は、上記し、且つ図面に示す実施例に限定することなく、その要旨を変更しない範囲内で適宜変形して実施できるものである。
【００６９】
例えば、上記実施例では、文書管理システムがページ表示の段階でＵＲＬショートカットにページ情報を入れておくようにしているが、これに限らず、ドラッグアンドドロップ操作によるショートカット情報の作成タイミングではページ情報を表示せず、ショートカット情報を作成されたというイベントを受けて、印刷指示Ｗｅｂアプリケーション２１０がページ情報をＷｅｂ文書管理システムから取得し、その後、取得したページ情報を印刷指示画面上のショートカット情報に反映するように構成してもよい。
【産業上の利用可能性】
【００７０】
本発明は、ネットワーク上で管理されたＷｅｂ文書を含む複数の文書の印刷制御を行う印刷制御装置に適用可能であり、特に、Ｗｅｂ文書を含む複数の文書をページ単位で統合して印刷処理するのに有用である。
【図面の簡単な説明】
【００７１】
【図１】この発明に係わる印刷制御システムのシステム構成を示す図。
【図２】この発明に係わる印刷制御システムの印刷制御の流れを示す概念図。
【図３】印刷指示Webアプリケーション２１０の印刷指示処理動作を示すフローチャート。
【図４】出力処理サービス２２０の出力処理動作を示すフローチャート。
【符号の説明】
【００７２】
１        印刷制御システム，
１１０      クライアントＰＣ
１２０      Ｗｅｂ文書管理システム
１２１−１、１２１−２  Ｗｅｂ文書管理システムデータベース
１３０      文書管理システム
１４０      プリントデバイス
１４１      印刷文書
２００      統合出力サーバ
２１０      印刷指示Ｗｅｂアプリケーション
２１１      ショートカット情報表示領域
２１１−１、２１１−２、２１１−２  ショートカット情報
２１２      印刷処理実行ボタン
２１３−１、２１３−２、２１３−３  処理文書
２２０      出力処理サービス
【図１】
2005202671.tif 000003
【図２】
2005202671.tif 000004
【図３】
2005202671.tif 000005
【図４】
2005202671.tif 000006